(57)【要約】  インジェクタ（２４ａ〜２４ｄ）は、弁座（５０）が設けられたノズル（５２）と、弁座（５０）に対して着座又は離間する弁体（４２）と、該弁体（４２）を変位させる変位手段（４０）とを有する。この中のノズル（５２）の内部には、溶融樹脂が流動する樹脂流路（７０）が形成される。該樹脂流路（７０）は、流動方向に対して直交する方向の断面積が、弁体（４２）に対して接近又は離間するにつれて変化する断面積変化部（７４）を含む。変位手段（４０）は、断面積変化部（７４）の任意の位置で、弁体（４２）を停止させることが可能である。
2019156197.tif 000002
【特許請求の範囲】
【請求項１】
複数個のインジェクタから射出成形装置のキャビティに溶融樹脂を射出して成形品を得る射出成形方法において、
前記インジェクタ内に設けられて該インジェクタの射出口を開閉する弁体を、弁座から離間させることで前記射出口を開状態とし、前記キャビティに溶融樹脂を充填する充填工程と、
前記弁体を全閉位置と全開位置との間の所定中間位置に移動させ、前記キャビティ内の前記溶融樹脂を加圧する保圧工程と、
を有し、
少なくとも２個の前記インジェクタで、前記所定中間位置を相違させることを特徴とする射出成形方法。
【請求項２】
請求項１記載の射出成形方法において、前記充填工程にて、前記弁体を全閉位置と全開位置との間の所定中間位置とするとともに、少なくとも２個の前記インジェクタで前記所定中間位置を相違させることを特徴とする射出成形方法。
【請求項３】
請求項１又は２記載の射出成形方法において、前記所定中間位置では、前記溶融樹脂が流動する樹脂流路の、流動方向に対して直交する方向の断面積が、前記弁体に対して接近又は離間するにつれて変化することを特徴とする射出成形方法。
【請求項４】
複数個のインジェクタからキャビティに溶融樹脂を射出して成形品を得る射出成形装置において、
前記インジェクタは、弁座が設けられたノズルと、前記弁座に対して着座又は離間する弁体と、前記弁体を前記弁座に対して接近又は離間する方向に変位させる変位手段とを有し、
前記ノズルの内部に、前記溶融樹脂が流動する樹脂流路が形成され、
前記樹脂流路は、流動方向に対して直交する方向の断面積が、前記弁体に対して接近又は離間するにつれて変化する断面積変化部を含むとともに、
前記変位手段は、前記断面積変化部の任意の位置で、前記弁体を停止させることが可能であることを特徴とする射出成形装置。
【請求項５】
請求項４記載の射出成形装置において、前記断面積変化部は、前記弁座に接近するにつれて断面積が大きくなることを特徴とする射出成形装置。
【請求項６】
請求項４記載の射出成形装置において、前記断面積変化部は、前記弁座に接近するにつれて断面積が小さくなることを特徴とする射出成形装置。
【発明の詳細な説明】
【技術分野】
【０００１】
本発明は、溶融樹脂をキャビティに充填して成形品を得る射出成形方法及び射出成形装置に関する。
【背景技術】
【０００２】
自動車車体の外装部品や内装部品として、樹脂成形品が広汎に採用されるに至っている。この種の樹脂成形品は、射出成形装置に形成されたキャビティに対して溶融樹脂を充填し、その後、冷却固化することで作製されている。自動車車体の外装部品や内装部品は概して大型であることから、キャビティも相当な大型である。【０００３】
このような大型のキャビティに対しては、特開２０１５−１７８２７３号公報に記載されるように、複数個のインジェクタからキャビティ内に溶融樹脂を射出することが行われている。ここで、特開２０１５−１７８２７３号公報には、全ての射出機（インジェクタ）から溶融樹脂を射出してキャビティに充填し、さらに、いわゆる保圧を行った後、各インジェクタのバルブピンを全開位置と全閉位置の間の中間位置とする追加工程を行う射出成形方法が開示されている。特開２０１５−１７８２７３号公報の記載によれば、このような追加工程を行うことにより、キャビティ内の溶融樹脂の圧力を略均等とすることが可能となり、窪み等が低減された成形品を得ることができる、とのことである。【０００４】
また、実用新案登録第３２０２７７２号公報には、バルブピンを全開位置と全閉位置の間の中間位置で停止させることが可能なインジェクタが開示されている。この従来技術では、バルブピンの停止位置を任意の中間位置とすることで溶融樹脂の射出量を制御することを試みている。
【発明の概要】
【０００５】
大型の成形品を得る際、成形型のみ、大容積のキャビティを形成することが可能なものとし、作動圧供給設備等は現状のものを援用し且つ射出条件を略同様にして射出を行う場合、キャビティ内に充填された樹脂の圧力が作動圧を上回り、成形型同士が離間する（いわゆる型浮きが起こる）ことが想定される。このような事態が生じると、バリが発生してしまう。
【０００６】
これを回避するべく、溶融樹脂の供給圧を低減することが想起される。しかしながら、この場合、成形品に窪み（「デフォーム」ともいわれる）が発生する懸念がある。
【０００７】
また、大容積のキャビティに対して複数個のインジェクタから溶融樹脂を射出する場合、個々のインジェクタの射出速度や射出圧力によっては、キャビティの各末端に溶融樹脂が到達するタイミングに相違が生じ、末端に到達する前に固化が起こり得る。そこで、インジェクタにおけるバルブピンの位置を、実用新案登録第３２０２７７２号公報に記載されるように中間位置とし、且つインジェクタ間で中間位置を相違させることで射出速度や射出圧力を調整することが想起される。
【０００８】
しかしながら、バルブピンと樹脂流路との間に形成されるクリアランス（実用新案登録第３２０２７７２号公報においていう「環状路」）は極めて狭小である。従って、バルブピンを若干変位させたのみであっても射出速度が敏感に変化する。このため、射出量ないし射出圧力、さらには、保圧時におけるキャビティ内の溶融樹脂への付与圧力を調整することは困難である。
【０００９】
本発明の主たる目的は、美観に優れ、さらに、バリや窪みが抑制された樹脂成形品を得ることが可能な射出成形方法を提供することにある。
【００１０】
本発明の別の目的は、樹脂成形品の部位に応じて保圧時の付与圧力を調整することが容易な射出成形装置を提供することにある。
【００１１】
本発明の一実施形態によれば、複数個のインジェクタから射出成形装置のキャビティに溶融樹脂を射出して成形品を得る射出成形方法において、
前記インジェクタ内に設けられて該インジェクタの射出口を開閉する弁体を、弁座から離間させることで前記射出口を開状態とし、前記キャビティに溶融樹脂を充填する充填工程と、
前記弁体を全閉位置と全開位置との間の所定中間位置に移動させ、前記キャビティ内の前記溶融樹脂を加圧する保圧工程と、
を有し、
少なくとも２個の前記インジェクタで、前記所定中間位置を相違させる射出成形方法が提供される。
【００１２】
弁体の所定中間位置が相違するインジェクタ同士では、ノズルからの溶融樹脂の射出速度や射出圧力が相違する。すなわち、所定中間位置を相違させることにより、溶融樹脂の射出速度や射出圧力を、インジェクション毎に所望の程度に設定することができる。換言すれば、キャビティ内の樹脂圧を任意に調整することが可能である。
【００１３】
このため、例えば、樹脂成形品の、ボスやリブ等が設けられるために固化時の収縮量が大きな部位では樹脂圧を大きくし、その他の収縮量が小さな部位では樹脂圧を小さくする等、部位に応じて樹脂圧を相違させた保圧を行うことができる。従って、全体の樹脂圧が過度に大きくなったことで型浮きが生じてバリが形成されたり、過度に小さくなったことで窪みが形成されたりすることが回避されるので、美観に優れた樹脂成形品を得ることができる。
【００１４】
保圧工程のみならず、充填工程でも上記のようにして樹脂圧を調整するようにしてもよい。すなわち、充填工程にて、弁体を全閉位置と全開位置との間の所定中間位置とするとともに、少なくとも２個の前記インジェクタで所定中間位置を相違させてキャビティへの溶融樹脂の射出速度又は射出圧力を相違させる。
【００１５】
この場合、各インジェクションからの溶融樹脂の射出（充填）開始から終了までのタイミングを揃えることができる。このため、溶融樹脂の冷却速度がキャビティ内の全体にわたって略同等となる。このことも、樹脂成形品の美観の向上に寄与する。
【００１６】
ここで、ノズル内において溶融樹脂が流動する樹脂流路に、流動方向に対して直交する方向の断面積が、前記弁体に対して接近又は離間するにつれて変化する断面積変化部を設け、該断面積変化部の範囲内を所定中間位置とすることが好ましい。
【００１７】
このノズルにおいて、弁体を断面積変化部の範囲内で変位させた場合、樹脂圧が緩やかに変化する。すなわち、断面積変化部を設け、弁体の位置を断面積変化部の範囲内とすることにより、樹脂圧を所望の程度に容易に変化させることができる。換言すれば、任意の樹脂圧に調整することが容易となる。従って、溶融樹脂の射出速度や射出圧力を、インジェクション毎に所望の程度に設定することが容易となる。
【００１８】
また、本発明の別の一実施形態によれば、複数個のインジェクタからキャビティに溶融樹脂を射出して成形品を得る射出成形装置において、
前記インジェクタは、弁座が設けられたノズルと、前記弁座に対して着座又は離間する弁体と、前記弁体を前記弁座に対して接近又は離間する方向に変位させる変位手段とを有し、
前記ノズルの内部に、前記溶融樹脂が流動する樹脂流路が形成され、
前記樹脂流路は、流動方向に対して直交する方向の断面積が、前記弁体に対して接近又は離間するにつれて変化する断面積変化部を含むとともに、
前記変位手段は、前記断面積変化部の任意の位置で、前記弁体を停止させることが可能である射出成形装置が提供される。
【００１９】
ノズル内の樹脂流路を、断面積変化部を含んだものとすることにより、上記したように溶融樹脂の射出速度や射出圧力を、インジェクション毎に所望の程度に設定することが容易となる。このため、バリや窪みの形成が抑制され、美観に優れた成形品を容易に得ることができる。
【００２０】
断面積変化部は、例えば、弁座に接近するにつれて断面積が大きくなるものとして形成することができる。なお、これとは逆に、弁座に接近するにつれて断面積が小さくなる断面積変化部であってもよい。
【００２１】
本発明によれば、弁体を、ノズル内において溶融樹脂が流動する樹脂流路の所定中間位置（全閉位置と全開位置との間）とすることにより、樹脂圧を所望の程度に調整するようにしている。そして、少なくとも２個のインジェクションで所定中間位置を相違させることにより、樹脂圧を相違させている。
【００２２】
従って、本発明においては、樹脂成形品の、ボスやリブ等が設けられるために固化時の収縮量が大きな部位では樹脂圧を大きくし、その他の収縮量が小さな部位では樹脂圧を小さくする等、部位に応じて樹脂圧を相違させた保圧を行うことができる。このため、樹脂圧が全体にわたって過度に大きくなったり、その逆に過度に小さくなったりすることが回避される。これにより、樹脂成形品にバリや窪みが形成されることが抑制されるので、美観に優れた樹脂成形品が得られる。
【図面の簡単な説明】
【００２３】
【図１】本発明の実施の形態に係る射出成形装置の要部と、該射出成形装置によって得られるフロントバンパ（樹脂成形品）とを模式的に示した要部概略斜視模式図である。
【図２】図１に示す第１インジェクタの要部概略断面図である。
【図３】図２に示す第１インジェクタを構成するトップノズルの全体概略断面図である。
【図４】トップノズルに形成された断面積変化部の範囲内でバルブピンが変位可能であることを示す要部断面図である。
【図５】図１に示す第１インジェクタ〜第４インジェクタのバルブピンの開度の度合いと、その開度調整のタイミングとを示すタイムチャートである。
【図６】断面積変化部が設けられたトップノズルにおける樹脂圧の変化と、断面積変化部が設けられていない（内径ないし断面積が一定である）トップノズルにおける樹脂圧の変化とを示すグラフである。
【図７】別の形状の断面積変化部が設けられたトップノズルの全体概略断面図である。
【発明を実施するための形態】
【００２４】
以下、本発明に係る射出成形方法につき、それを実施するための射出成形装置との関係で好適な実施の形態を挙げ、添付の図面を参照して詳細に説明する。
【００２５】
図１は、本実施の形態に係る射出成形装置１０の要部と、該射出成形装置１０によって得られるフロントバンパ１２（樹脂成形品）とを模式的に示した要部概略斜視模式図である。この射出成形装置１０は、溶融樹脂を供給する供給機２０と、該供給機２０から供給された溶融樹脂を分配する分配器としてのホットランナブロック２２と、該ホットランナブロック２２の下流末端に設けられた第１インジェクタ２４ａ〜第４インジェクタ２４ｄとを備える。ホットランナブロック２２は、第１インジェクタ２４ａ〜第４インジェクタ２４ｄを介して図２に示す固定型２６に支持される。
【００２６】
射出成形装置１０は、固定型２６と、該固定型２６に対して接近又は離間する方向に変位可能な可動型（図示せず）とをさらに有する。固定型２６と可動型により、フロントバンパ１２を得るためのキャビティが形成される。なお、フロントバンパ１２は自動車車体の外装品である。
【００２７】
フロントバンパ１２は、中央部３０、該中央部３０の車体左端から左側方に回り込む左サイド部３２、中央部３０の車体右端から右側方に回り込む右サイド部３４を有する。一方、ホットランナブロック２２は、集合路３６の分岐点から分岐した第１分岐路３８ａ〜第４分岐路３８ｄを有し、この中の第１分岐路３８ａ及び第２分岐路３８ｂは、中央部３０の上方及び下方に溶融樹脂をそれぞれ分配する。また、第３分岐路３８ｃ及び第４分岐路３８ｄは、それぞれ、左サイド部３２の前面の下方、右サイド部３４の前面の下方に溶融樹脂を分配する。第２分岐路３８ｂは、集合路３６と同一軸線上となるように延在する。
【００２８】
なお、中央部３０の上方の容積、下方の容積、左サイド部３２の容積、右サイド部３４の容積のそれぞれをＶａ、Ｖｂ、Ｖｃ、Ｖｄとするとき、Ｖａ＞Ｖｃ≒Ｖｄ＞Ｖｂの関係がある。すなわち、中央部３０の上方、下方、左サイド部３２、右サイド部３４では、充填や保圧すべき体積が異なり、各部位に必要な樹脂量も異なる。
【００２９】
第１インジェクタ２４ａ〜第４インジェクタ２４ｄは、それぞれ、第１分岐路３８ａ〜第４分岐路３８ｄの下流側先端に配設される。すなわち、第１インジェクタ２４ａ及び第２インジェクタ２４ｂは中央部３０の上方、中央部３０の下方、第３インジェクタ２４ｃ及び第４インジェクタ２４ｄは、左サイド部３２、右サイド部３４の各下方に溶融樹脂をそれぞれ射出する。
【００３０】
図２は、ホットランナブロック２２の下流側先端に設けられる第１インジェクタ２４ａの長手方向に沿う要部概略断面図である。第１インジェクタ２４ａは、電子制御式アクチュエータ（以下、単に「アクチュエータ」と表記する）４０と、弁体としてのバルブピン４２と、中空円筒形状体からなるスリーブ４４と、弁座５０が設けられたトップノズル５２とを有する。
【００３１】
第１インジェクタ２４ａは、アクチュエータ４０を支持するとともにホットランナブロック２２を固定型２６に保持するためのベースホルダ５４をさらに有する。ベースホルダ５４は中空箱型であり、その内部にホットランナブロック２２の下流先端が収容される。
【００３２】
スリーブ４４は、ホットランナブロック２２と固定型２６とで挟持されるフランジ部５６を有する。このフランジ部５６がスペーサとして機能することにより、固定型２６に対するホットランナブロック２２の離間距離が略一定となる。勿論、ホットランナブロック２２の中空内部（ランナ）は、スリーブ４４の中空内部に連通する。
【００３３】
ベースホルダ５４の、固定型２６に対向する対向壁には、挿通孔５８が形成される。該挿通孔５８には、アクチュエータ４０の駆動ロッド６０が通されるとともに、該駆動ロッド６０に前記バルブピン４２が保持されている。バルブピン４２は、上記したようにスリーブ４４内に収容されている。
【００３４】
スリーブ４４の先端内部には、嵌合溝６２が環状に形成されている。この嵌合溝６２に、トップノズル５２が嵌合される。具体的には、図３に詳細を示すように、トップノズル５２は、円筒形端部６４と、フランジ形状のストッパ部６６と、その外径が円筒形端部６４及びストッパ部６６よりも小径であり、且つキャビティに接近するにつれてテーパー形状に縮径した後に等径となる射出側端部６８とを有し、この中の円筒形端部６４が前記嵌合溝６２に嵌合される。この際、ストッパ部６６がスリーブ４４の先端に当接することで、トップノズル５２のそれ以上の挿入が阻止される。
【００３５】
トップノズル５２内には、スリーブ４４の中空内部から流入した溶融樹脂が流動する樹脂流路７０が形成される。樹脂流路７０は、円筒形端部６４内の上流側ではスリーブ４４の中空内部の径と略同径とされ、ストッパ部６６に近接するにつれてテーパー状に縮径する。すなわち、ストッパ部６６近傍に絞り７２が形成される。第１インジェクタ２４ａが全開とされるとき、バルブピン４２は、図４に示すように絞り７２よりも上流側に後退する。換言すれば、バルブピン４２は、絞り７２よりも上流側に後退したときが全開位置である。
【００３６】
絞り７２よりも下流側、すなわち、ストッパ部６６内には、流通方向に対して直交する方向の断面積が大きくなる断面積変化部７４が設けられている。樹脂流路７０は、この断面積変化部７４を含んで形成される。本実施の形態では、断面積変化部７４は、樹脂流路７０が射出側端部６８に近接するにつれてテーパー状に拡径することで画成されている。このため、断面積変化部７４は、射出側端部６８に向かうに従って断面積が大きくなる。従って、断面積変化部７４と、該断面積変化部７４に進入したバルブピン４２とで形成される環状路の断面積は、射出側端部６８に向かうに従って漸次的に大きくなる。
【００３７】
断面積変化部７４の断面積は、ストッパ部６６と射出側端部６８との境界近傍で最大であり、その下流側に弁座５０が形成される。バルブピン４２が前進して弁座５０に着座することにより、樹脂流路７０が閉塞される。すなわち、第１インジェクタ２４ａが全閉状態となる。このように、バルブピン４２は、弁座５０に着座することで全閉位置となる。
【００３８】
射出側端部６８の弁座５０よりも下流側には、射出口７６が形成される。射出口７６の上流側はテーパー状に縮径し、一方、下流側はテーパー状に拡径している。
【００３９】
バルブピン４２は、アクチュエータ４０の駆動ロッド６０が繰り出されることに伴って弁座５０側に指向して前進し、全閉位置となる。一方、駆動ロッド６０が引き込まれることに伴って弁座５０から離間する方向に後退し、全開位置となる。アクチュエータ４０は、図４中に仮想線で示すように、この前進ないし後退の途中で駆動ロッド６０を停止させることが可能である。駆動ロッド６０の停止に伴ってバルブピン４２も停止する。このため、バルブピン４２を、全閉位置と全開位置の間の任意の位置、すなわち、所定中間位置に停止させることができる。
【００４０】
典型的には、所定中間位置は、弁座５０から絞り７２までの範囲内である。すなわち、所定中間位置は、断面積変化部７４の範囲内に設定される。
【００４１】
残余の第２インジェクタ２４ｂ〜第４インジェクタ２４ｄは、第１インジェクタ２４ａに準拠して構成されている。従って、同一の構成要素には同一の参照符号を付し、その詳細な説明を省略する。
【００４２】
本実施の形態に係る射出成形装置１０は、基本的には以上のように構成されるものであり、次に、その作用効果につき、本実施の形態に係る射出成形方法との関係で説明する。なお、以下の動作は、図示しない制御部の制御作用下に遂行される。
【００４３】
フロントバンパ１２を成形するべく、はじめに、固定型２６に対して可動型を接近させることでキャビティを形成する。キャビティには、第１インジェクタ２４ａ〜第４インジェクタ２４ｄを介してホットランナブロック２２の中空内部（ランナ）が連通する。この時点では、第１インジェクタ２４ａ〜第４インジェクタ２４ｄの各バルブピン４２は弁座５０に着座している。すなわち、全バルブピン４２は全閉位置である（図３参照）。
【００４４】
次に、キャビティに溶融樹脂を充填する充填工程を行う。すなわち、供給機２０を付勢するとともに、第１インジェクタ２４ａ〜第４インジェクタ２４ｄを構成するアクチュエータ４０を付勢する。供給機２０が付勢されることにより、該供給機２０からホットランナブロック２２の集合路３６に溶融樹脂が送り出される。溶融樹脂は、さらに、第１分岐路３８ａ〜第４分岐路３８ｄの各々に分配される。
【００４５】
また、アクチュエータ４０が付勢されることにより、第１インジェクタ２４ａ〜第４インジェクタ２４ｄの各駆動ロッド６０が後退するとともに、バルブピン４２が駆動ロッド６０と一体的に後退する。その結果、バルブピン４２が弁座５０から離間し、第１インジェクタ２４ａ〜第４インジェクタ２４ｄが開状態となる。このとき、全バルブピン４２は、図４に示す全開位置とされる。
【００４６】
このようにして第１インジェクタ２４ａ〜第４インジェクタ２４ｄが開かれることに伴い、第１分岐路３８ａ〜第４分岐路３８ｄに送り出された溶融樹脂が、ホットランナブロック２２の中空内部、スリーブ４４の中空内部、トップノズル５２内の樹脂流路７０を経て、該トップノズル５２の射出口７６からキャビティ内に導入される。これにより、キャビティに対する溶融樹脂の充填が開始される。
【００４７】
ここで、上記したように、中央部３０の上方、下方、左サイド部３２、右サイド部３４では、容積が相違するために必要な樹脂量（体積）が異なる。従って、第１インジェクタ２４ａ〜第４インジェクタ２４ｄからの溶融樹脂の射出速度ないし射出圧力を全て同一とすると、キャビティが大型である場合、全体の射出圧力が過度に小さいときには窪みが発生する懸念がある。一方、全体の射出圧力が過度に大きい場合、型浮きが生じてバリが発生する。
【００４８】
さらに、第１インジェクタ２４ａ〜第４インジェクタ２４ｄからの溶融樹脂の射出速度ないし射出圧力が同一であると、中央部３０の下方の充填が先に終了する。この場合、中央部３０の下方に充填された溶融樹脂が固化し始めるので、その他の部位に供給された溶融樹脂に比して、冷却開始タイミングが早くなる。冷却開始タイミングに著しい差があると、窪みが発生する懸念がある。
【００４９】
これを回避するべく、充填の途中、すなわち、充填工程を開始してから所定の時間Ｔ１が経過した後、所定のインジェクタのバルブピン４２をアクチュエータ４０の制御作用下に断面積変化部７４の範囲内（所定中間位置）に移動させ、射出速度ないし射出圧力を低減する。図５に示すように、本実施の形態では、第１インジェクタ２４ａ、第２インジェクタ２４ｂのバルブピン４２を変位させている。なお、図５では、バルブピン４２の位置を「バルブ開度」として表しており、ｙ軸の上方に向かうほど開いていることを意味する。
【００５０】
この場合、先ず、第１インジェクタ２４ａのバルブピン４２を、断面積変化部７４の、断面積が比較的大きな射出側端部６８側まで変位させる。射出速度は、バルブピン４２が全開位置から図４中に実線で示す位置まで移動する最中に十分に小さくなっており、バルブピン４２が射出側端部６８側に位置するとき、さらに小さくなる。断面積が大きな箇所では、射出速度の変化量は、バルブピン４２の移動量に対して小さい。従って、断面積が大きな射出側端部６８側に流速調整量の最適箇所を設定することが好ましい。これにより、バルブピン４２の位置を調節することで溶融樹脂の流速を容易に調整することができるからである。
【００５１】
そして、Ｔ１からさらに所定の時間が経過し、充填工程を開始してからの累積時間がＴ２となった際、第２インジェクタ２４ｂのバルブピン４２を、断面積変化部７４の、断面積が比較的小さなストッパ部６６側に位置させる。この場合、前記環状路の断面積が小さいので、溶融樹脂の射出速度は、第１インジェクタ２４ａに比して大きくなる。
【００５２】
このようにして溶融樹脂の射出速度ないし射出圧力を適宜調整することにより、第１インジェクタ２４ａ〜第４インジェクタ２４ｄの各々からの溶融樹脂の射出終了タイミングを略同時に揃えることができる。このために各インジェクタ（２４ａ〜２４ｄ）からキャビティに射出された溶融樹脂の冷却開始タイミングが揃う。且つ、キャビティ内の樹脂圧が部位毎に相違する。
【００５３】
充填工程の開始から時間Ｔ３が経過して充填が終了した後、保圧工程を行う。すなわち、第１インジェクタ２４ａ〜第４インジェクタ２４ｄのバルブピン４２の開度を、所定時間が経過するまで充填工程終了時の開度に保つ。これにより、キャビティ内の溶融樹脂に対し、トップノズル５２内の溶融樹脂からの圧力が作用する。
【００５４】
フロントバンパ１２の、ボスやリブ等を含む部位の近傍では、溶融樹脂が固化する際の収縮量が大きい。これに対し、ボスやリブ等を含まない部位では、収縮量が比較的小さい。従って、第１インジェクタ２４ａ〜第４インジェクタ２４ｄによる保圧の圧力を同等とすると、収縮量が大きい部位に窪みが発生する懸念がある。
【００５５】
そこで、本実施の形態では、充填が終了して（保圧を開始して）所定の時間が経過した後、すなわち、充填工程の開始から時間Ｔ４が経過した後、先ず、第１インジェクタ２４ａのバルブピン４２を、断面積変化部７４の、断面積が比較的小さなストッパ部６６側に変位させる。これにより第１インジェクタ２４ａからの射出速度ないし射出圧力が増加し、その結果、キャビティ内の溶融樹脂への付与圧力が大きくなる。
【００５６】
また、第１インジェクタ２４ａのバルブピン４２の開度を上記したように変更して所定時間が経過した後（充填工程の開始から時間Ｔ５が経過した後）、第２インジェクタ２４ｂのバルブピン４２を、断面積変化部７４の、断面積が比較的大きな射出側端部６８側に変位させる。その結果、第２インジェクタ２４ｂからの射出速度ないし射出圧力が若干減少し、キャビティ内の溶融樹脂に対する付与圧力が若干小さくなる。
【００５７】
ここで、樹脂流路７０に断面積変化部７４が設けられたトップノズル５２を用いた場合のバルブピン４２の位置と射出された溶融樹脂の圧力（樹脂圧）との関係を実線、内径が等径であり、断面積変化部７４が設けられていない従来技術に係るトップノズルを用いた場合のバルブピン４２の位置と樹脂圧との関係を破線とし、図６に併せて示す。この図６から、断面積変化部７４を設けるとともに、バルブピン４２の先端位置を断面積変化部７４の範囲内で変化させたとき、樹脂圧が緩やかに変化することが分かる。この理由は、前記環状路の断面積の変化が緩やかとなるためである。
【００５８】
このように、トップノズル５２内の樹脂流路７０に断面積変化部７４を設けることにより、溶融樹脂の射出速度ないし射出圧力、キャビティ内の溶融樹脂に対する付与圧力を、精度よく変更することができる。すなわち、トップノズル５２を用いることにより、溶融樹脂の射出速度ないし射出圧力、さらには、キャビティ内の溶融樹脂に対する付与圧力を所望の程度に調節することが可能となる。
【００５９】
また、キャビティ内の樹脂圧を、高圧が必要な箇所は高圧とし、且つ低圧で十分な箇所は低圧とする等、部位に応じて相違させることができるので、キャビティの全体にわたって樹脂圧が過度に大きくなることが回避される。このため、型浮きが生じてバリが発生することが抑制される。これとは逆に、キャビティの全体にわたって樹脂圧が過度に小さくなることも回避される。このため、キャビティ内の樹脂充填量が不十分となり、窪みが生じることも抑制される。
【００６０】
充填工程を開始して所定の時間Ｔ６が経過した後、第１インジェクタ２４ａ〜第４インジェクタ２４ｄの全てを全閉状態として保圧工程を終了する。この状態で、溶融樹脂をキャビティ内で冷却固化させることにより、樹脂成形品としてのフロントバンパ１２が得られる。フロントバンパ１２は、可動型が固定型２６から離間する型開きがなされた後、例えば、図示しないエジェクトピンによって押圧され、固定型２６から離型される。フロントバンパ１２は、バリや窪みの形成が抑制された美観に優れるものである。
【００６１】
本発明は、上記した実施の形態に特に限定されるものではなく、本発明の主旨を逸脱しない範囲で種々の変更が可能である。
【００６２】
例えば、この実施の形態では、第３インジェクタ２４ｃ及び第４インジェクタ２４ｄのバルブピン４２の開度変更を特に行っていないが、必要に応じて開度を変更するようにしてもよいことは勿論である。
【００６３】
また、樹脂成形品はフロントバンパ１２以外のものであってもよい。さらに、インジェクタの個数や、開度を変更すべきインジェクタ、その開度変更タイミング等は、図５に示す例に特に限定されるものではなく、様々に設定することが可能である。
【００６４】
さらに、図７に示すように、ストッパ部６６から射出側端部６８に向かうに従ってテーパー状に縮径する断面積変化部８０が設けられたトップノズル８２を用いるようにしてもよい。このときの樹脂圧の変化を、図６に一点鎖線として併せて示す。
【００６５】
この図６から諒解されるように、トップノズル８２では、樹脂圧を低減可能な範囲が広くなる。従って、樹脂圧を変化させることが容易であり、汎用性に優れる。
【００６６】
また、射出成形装置１０は、第１インジェクタ２４ａ〜第４インジェクタ２４ｄの各バルブピン４２の中間位置を相違させることが可能な構成ではあるが、相違させなくとも射出成形品（フロントバンパ１２等）に窪みやバリがほとんど形成されない場合には、全てのインジェクタ（２４ａ〜２４ｂ）におけるバルブピン４２の中間位置を揃えて射出を行うようにしてもよい。
【符号の説明】
【００６７】
１０…射出成形装置                      １２…フロントバンパ
２０…供給機                            ２２…ホットランナブロック
２４ａ〜２４ｄ…インジェクタ            ２６…固定型
４０…電子制御式アクチュエータ          ４２…バルブピン
５０…弁座                              ５２、８２…トップノズル
６０…駆動ロッド                        ６４…円筒形端部
６６…ストッパ部                        ６８…射出側端部
７０…樹脂流路                          ７２…絞り
７４、８０…断面積変化部                ７６…射出口
【図１】
2019156197.tif 000003
【図２】
2019156197.tif 000004
【図３】
2019156197.tif 000005
【図４】
2019156197.tif 000006
【図５】
2019156197.tif 000007
【図６】
2019156197.tif 000008
【図７】
2019156197.tif 000009
【国際調査報告】
2019156197.tif 000010
2019156197.tif 000011
2019156197.tif 000012
2019156197.tif 000013